(57)【要約】【課題】  小型でちらつきのない投影画像を得ることができるプロジェクタの提供。【解決手段】    強誘電型液晶素子で構成される２組のＬＣＯＳ３，４を設け、一方が反転表示の場合には他方を通常表示とし、ＰＢＳ２から出射される投射光から偏光制御素子４１および偏光板４２を用いて反転表示の偏光光をカットし通常表示の偏光光だけを投射するようにした。その結果、照明を消灯することなく投影を行うことができるので、ＬＣＯＳ３，４が反転表示が必要な強誘電液晶素子であっても投射光量の低下を避けることができる。さらに、ＰＢＳ２の出射側に偏光制御素子４１および偏光板４２を設けるだけで良いため、各色毎にＬＥＤとＰＢＳブロックを設ける従来の装置に比べて、装置全体の大きさを小さくすることができるとともに、コストアップを抑えることができる。【選択図】        図１
2007072403.tif 000002
【特許請求の範囲】
【請求項１】
非偏光の照明光を発生する照明手段と、
正規の通常表示状態と前記正規の通常表示状態と表示態様の異なる反転表示状態とを有し、入射した偏光光を画像情報に応じて変調する第１および第２のライトバルブと、
前記各ライトバルブを交互に前記通常表示状態と前記反転表示状態とに駆動制御するとともに、前記２つのライトバルブの一方が通常表示状態で他方が反転表示状態となるように駆動制御するライトバルブ制御手段と、
前記照明光を偏光方向の異なる２つの偏光光に分離し、一方を前記第１のライトバルブへと入射させるとともに、他方を前記第２のライトバルブへと入射させる偏光分離素子と、
前記第１および第２のライトバルブの各々から出射される変調光から所定の偏光光を分離し、それらを投射光として合成する分離合成手段と、
前記投射光に含まれる前記通常表示状態のライトバルブからの偏光光を透過し、前記投射光に含まれる前記反転表示状態のライトバルブからの偏光光を不透過とする選択透過手段と、
前記選択透過手段を透過した偏光光をスクリーン上に投射する投射レンズとを備えたことを特徴とするプロジェクタ。
【請求項２】
請求項１に記載のプロジェクタにおいて、
前記選択透過手段は、
前記分離合成手段から入射した投射光の偏光方向を回転せず透過する非旋光状態と、前記分離合成手段から入射した投射光の偏光方向を９０度回転して透過する旋光状態とを選択的に可能な偏光制御素子と、
前記偏光制御素子を透過した投射光が入射し、特定方向の直線偏光のみを透過する偏光板とを備えることを特徴とするプロジェクタ。
【請求項３】
請求項１または２に記載のプロジェクタにおいて、
前記プロジェクタは、１フレーム内において前記ライトバルブをＲ色光、Ｇ色光およびＢ色光で順に照明するフィールドシーケンシャル駆動カラー表示方式のプロジェクタであって、
１フレーム内の前記各色光での照明タイミングにおいて、一方のライトバルブを通常表示状態、反転表示状態の順に駆動し、他方のライトバルブを反転表示状態、通常表示状態の順に駆動することを特徴とするプロジェクタ。
【請求項４】
請求項１または２に記載のプロジェクタにおいて、
前記プロジェクタは、１フレーム内において前記ライトバルブをＲ色光、Ｇ色光およびＢ色光で順に照明するフィールドシーケンシャル駆動カラー表示方式のプロジェクタであって、
１フレーム内において、一方のライトバルブを通常表示状態で駆動するとともに他方のライトバルブを反転表示状態でそれぞれ駆動し、その前後のフレーム内においては、前記一方のライトバルブを反転表示状態で駆動するとともに前記他方のライトバルブを通常表示状態で駆動するようにしたことを特徴とするプロジェクタ。
【請求項５】
請求項１または２に記載のプロジェクタにおいて、
前記プロジェクタは、１フレーム内において前記ライトバルブをＲ色光、Ｇ色光およびＢ色光で順に照明するフィールドシーケンシャル駆動カラー表示方式のプロジェクタであって、
照明を各色光の間で切り換える度に、前記各ライトバルブの表示状態を通常表示状態と反転表示状態との間で切り換えるとともに、各色光での照明の際に前記２つのライトバルブの一方が通常表示状態で他方が反転表示状態となるように駆動制御することを特徴とするプロジェクタ。
【発明の詳細な説明】
【技術分野】
【０００１】
本発明は、通常表示状態と反転表示状態とを有するライトバルブを用いたプロジェクタに関する。
【背景技術】
【０００２】
従来、ライトバルブとして反射型液晶表示素子（ＬＣＯＳ）を用いたプロジェクタが提案されている。特に、ＲＧＢの時分割駆動（フィールドシーケンシャル駆動）においては、強誘電液晶（ＦＬＣ）を用いることにより高速駆動が可能となる（例えば、特許文献１参照）。強誘電液晶を用いた場合には、画像の焼き付き現象を防止するために、液晶の極性を反転させるいわゆる反転駆動を行うことが必要となる。
【０００３】
ところで、反転駆動時には正規の通常表示状態とは表示態様が異なる反転像が投影されてしまうため、反転駆動時には照明を消灯するのが一般的である。しかし、そのような制御を行うと投射光量が半減することや、映像がちらつくという問題があり、上述した特許文献１に記載の発明においては、照明部に複数の偏光ビームスプリッタ（ＰＢＳ）を設け、各ＰＢＳに対応させて複数のＬＥＤを設け、複数のＬＥＤを時間と共に点灯、消灯制御し、反転駆動時の照明光の偏光方向を通常駆動の偏光方向に対して９０度回転させることにより、反転駆動時においても正常な投影像が得られるようにしている。
【０００４】
【特許文献１】特開２００４−２０６０４６号公報
【発明の開示】
【発明が解決しようとする課題】
【０００５】
しかしながら、上述した装置においては、複数のＰＢＳに対応させて複数のＬＥＤを設ける必要があり、装置が大型になるとともにコスト上昇を招くという欠点がある。
【課題を解決するための手段】
【０００６】
請求項１の発明によるプロジェクタは、非偏光の照明光を発生する照明手段と、正規の通常表示状態と正規の通常表示状態と表示態様の異なる反転表示状態とを有し、入射した偏光光を画像情報に応じて変調する第１および第２のライトバルブと、各ライトバルブを交互に通常表示状態と反転表示状態とに駆動制御するとともに、２つのライトバルブの一方が通常表示状態で他方が反転表示状態となるように駆動制御するライトバルブ制御手段と、照明光を偏光方向の異なる２つの偏光光に分離し、一方を第１のライトバルブへと入射させるとともに、他方を第２のライトバルブへと入射させる偏光分離素子と、第１および第２のライトバルブの各々から出射される変調光から所定の偏光光を分離し、それらを投射光として合成する分離合成手段と、投射光に含まれる通常表示状態のライトバルブからの偏光光を透過し、投射光に含まれる反転表示状態のライトバルブからの偏光光を不透過とする選択透過手段と、選択透過手段を透過した偏光光をスクリーン上に投射する投射レンズとを備えたことを特徴とする。
請求項２の発明は、請求項１に記載のプロジェクタにおいて、選択透過手段は、分離合成手段から入射した投射光の偏光方向を回転せず透過する非旋光状態と、分離合成手段から入射した投射光の偏光方向を９０度回転して透過する旋光状態とを選択的に可能な偏光制御素子と、偏光制御素子を透過した投射光が入射し、特定方向の直線偏光のみを透過する偏光板とを備えたものである。
請求項３の発明は、請求項１または２に記載のプロジェクタにおいて、プロジェクタは、１フレーム内においてライトバルブをＲ色光、Ｇ色光およびＢ色光で順に照明するフィールドシーケンシャル駆動カラー表示方式のプロジェクタであって、１フレーム内の各色光での照明タイミングにおいて、一方のライトバルブを通常表示状態、反転表示状態の順に駆動し、他方のライトバルブを反転表示状態、通常表示状態の順に駆動するようにしたものである。
請求項４の発明は、請求項１または２に記載のプロジェクタにおいて、プロジェクタは、１フレーム内において前記ライトバルブをＲ色光、Ｇ色光およびＢ色光で順に照明するフィールドシーケンシャル駆動カラー表示方式のプロジェクタであって、１フレーム内において、一方のライトバルブを通常表示状態で駆動するとともに他方のライトバルブを反転表示状態でそれぞれ駆動し、その前後のフレーム内においては、前記一方のライトバルブを反転表示状態で駆動するとともに前記他方のライトバルブを通常表示状態で駆動するようにしたものである。
請求項５の発明は、請求項１または２に記載のプロジェクタにおいて、プロジェクタは、１フレーム内において前記ライトバルブをＲ色光、Ｇ色光およびＢ色光で順に照明するフィールドシーケンシャル駆動カラー表示方式のプロジェクタであって、照明を各色光の間で切り換える度に、各ライトバルブの表示状態を通常表示状態と反転表示状態との間で切り換えるとともに、各色光での照明の際に２つのライトバルブの一方が通常表示状態で他方が反転表示状態となるように駆動制御するようにしたものである。
【発明の効果】
【０００７】
本発明によれば、２つのライトバルブを交互に通常表示状態と反転表示状態とに駆動制御するとともに、一方が通常表示状態で他方が反転表示状態となるように駆動制御し、選択透過手段を用いて、投射光に含まれる通常表示状態のライトバルブからの偏光光を透過し、投射光に含まれる反転表示状態のライトバルブからの偏光光を不透過とするようにしたので、照明手段を消灯することなく投影を行うことができ、装置の大型化、コストアップを抑制しつつ投射光量の低下を防止することができる。
【発明を実施するための最良の形態】
【０００８】
以下、図を参照して本発明を実施するための最良の形態について説明する。図１は本発明によるプロジェクタの一実施の形態を示すブロック図である。プロジェクタは、非偏光の白色光を発生する照明部１、偏光子である偏光ビームスプリッタ（以下、ＰＢＳと記す）２、空間光変調素子（ライトバルブ）の一種であるＬＣＯＳ３，４、偏光制御素子４１、偏光板４２、投射レンズ５およびコントローラ６を備えている。コントローラ６には、ＬＥＤ制御回路６１，偏光制御回路６２，ＬＣＯＳ制御回路６３ａ，６３ｂ，ＣＰＵ６４およびメモリ６５が設けられている。メモリ６５には、ＣＰＵ６４で処理されるプログラムや種々のデータ等が記憶される。
【０００９】
照明部１は、光源である高輝度ＬＥＤ１１と、ＬＥＤ１１からの光を略平行光とする集光レンズ１２とを備えている。ＬＥＤ１１はＲ（赤），Ｇ（緑），Ｂ（青）の３色のＬＥＤを一つのパッケージ内に備えたものであり、これらを切り換え発光することによりＲ光，Ｇ光およびＢ光を個別に発光することができる。ＬＥＤ１１の発光制御は、コントローラ６に設けられたＬＥＤ制御回路６１によって行われる。
【００１０】
照明部１を出射した無偏光状態の光はＰＢＳ２に入射し、偏光分離膜が形成された分離面２ａでＳ偏光光とＰ偏光光とに分離される。Ｐ偏光光は分離面２ａを透過してＬＣＯＳ３に入射する。一方、Ｓ偏光光は分離面２ａで反射され、ＬＣＯＳ４に入射する。本実施の形態のプロジェクタでは、フィールドシーケンシャル駆動によるカラー表示を行うため、ＬＣＯＳ３，４には高速駆動が可能な強誘電液晶（ＦＬＣ）を使用した反射型液晶ライトバルブが用いられている。ＬＣＯＳ３，４は、それぞれコントローラ６に設けられたＬＣＯＳ制御回路６３ａ，６３ｂによって独立に駆動制御される。ＬＣＯＳ制御回路６３ａ，６３ｂはＣＰＵ６４から入力される画像情報に基づいて、ＬＣＯＳ３，４の各画素を駆動制御する。
【００１１】
ＰＢＳ２から出射されて各ＬＣＯＳ３，４に入射するＰ偏光光およびＳ偏光光は、空間光変調素子であるＬＣＯＳ３，４によって変調される。すなわち、ＬＣＯＳ３，４に入射したＰ（Ｓ）偏光光の内、ＬＣＯＳ３，４の「白表示」の画素部に入射したものは偏光方向が９０度回転されてＰ（Ｓ）偏光光からＳ（Ｐ）偏光光に変換される。一方、ＬＣＯＳ３，４の「黒表示」の画素部に入射したＰ（Ｓ）偏光は、偏光状態が変化せずＰ（Ｓ）偏光のまま出射される。このように、このように、ＬＣＯＳ３，４は入射した偏光光を入力された映像情報に応じて変調（偏光変換）し、変調光として出射する。なお、「白表示」と「黒表示」の中間の明るさ（中間調）の表示は、その明るさに応じて「白表示」の状態である時間を変更する（パルス幅変調）ことによって行う。
【００１２】
ＬＣＯＳ３から出射された変調光に含まれるＰ偏光光は、分離面２ａを透過して照明部１へと戻る。一方、ＬＣＯＳ３から出射された変調光に含まれるＳ偏光光は、分離面２ａで反射され偏光制御素子４１に入射する。また、ＬＣＯＳ４から出射された変調光に含まれるＳ偏光光は分離面２ａで反射されて照明部１へと戻り、変調光に含まれるＰ偏光光は分離面２ａを透過して偏光制御素子４１に入射する。すなわち、ＬＣＯＳ３，４のいずれの場合も、「白表示」の画素部で反射された偏光光がＰＢＳ２を介して偏光制御素子４１へと入射する。なお、照明部１へ戻った偏光光は照明部１の内部で反射され、一部は再び照明光として利用される。
【００１３】
偏光制御素子４１は、入射した偏光光をそのまま透過する状態（以下では非旋光状態と呼ぶ）と、偏光光が透過した際にその偏光方向を９０度回転する状態（以下では旋光状態と呼ぶ）とを取ることができる素子であり、例えば、特開２００５−６５０５５号公報に開示されている液晶セルなどを用いることができる。この液晶セルを偏光制御素子４１に用いた場合、コントローラ６に設けられた偏光制御回路６２により液晶セルへの印加電圧を制御することにより、Δｎｄ（リターデーション）がゼロの状態とλ／２の状態とを選択的に切り換えることができる。偏光板４２は例えばＳ偏光光のみを透過するように設定されており、偏光板４２を透過したＳ偏光光がスクリーン上に投射されることになる。
【００１４】
次に、ＬＣＯＳ３，４の表示状態と偏光制御素子４１の動作状態との関係について説明する。ここでは、次の２つの状態を組み合わせて用いることにより、カラー映像を投影するようにしている。第１の状態では、ＬＣＯＳ３は正規の通常表示、ＬＣＯＳ４は正規の通常表示とは表示態様が異なる反転表示でそれぞれ画像表示を行い、偏光制御素子４１は偏光方向を回転させない非旋光状態とする。なお、この状態では、ＬＣＯＳ３には正規の通常駆動信号が供給され、ＬＣＯＳ４には正規の通常駆動信号とは極性の反転された反転駆動信号が供給されている。第２の状態では、第１の状態とは逆にＬＣＯＳ３を反転表示、ＬＣＯＳ４を通常表示とし、偏光制御素子４１は偏光方向を９０度回転させる旋光状態とする。
【００１５】
図２は、第１の状態を説明する図である。ＬＣＯＳ３，４は共通の画像情報により制御される。正規の通常表示のＬＣＯＳ３では、画像情報が白データである画素では白表示が行われ、黒データである画素では黒表示が行われる。一方、反転表示のＬＣＯＳ４では、白データの画素では反転表示のために黒表示が行われ、黒データの画素では反転表示のために白表示が行われる。
【００１６】
《動作説明》
上述したように、ＬＣＯＳ３から出射されＰＢＳ２の分離面２ａで反射されて偏光制御素子４１に入射するＳ偏光光は、ＬＣＯＳ３の白表示（白データ）画素で反射された光である。偏光制御素子４１は非旋光状態であるため、ＬＣＯＳ３からのＳ偏光光は偏光制御素子４１および偏光板４２を透過して、投射レンズ５によりスクリーン上に投射される。一方、ＬＣＯＳ４から出射されＰＢＳ２の分離面２ａを透過して偏光制御素子４１に入射するＰ偏光光は、ＬＣＯＳ４の黒表示（黒データ）画素で反射された光である。この反転画像に対応するＰ偏光光は、偏光板４２でカットされるためスクリーン上に投射されることはない。
【００１７】
図３は、第２の状態を説明する図である。第２の状態では、第１の状態とは逆にＬＣＯＳ３は反転表示とされ、ＬＣＯＳ４は正規の通常表示とされる。そのため、ＬＣＯＳ３から出射され、ＰＢＳ２の分離面２ａで反射されて偏光制御素子４１に入射するＳ偏光光は、ＬＣＯＳ３の白表示（黒データ）画素で反射された光であり、反転画像を形成している。一方、ＬＣＯＳ４から出射されＰＢＳ２の分離面２ａを透過して偏光制御素子４１に入射するＰ偏光光は、ＬＣＯＳ４の白表示（白データ）画素で反射された光であり、正常画像を形成している。
【００１８】
第２の状態では、偏光制御素子４１は入射した偏光光の偏光方向を９０度回転して出射する旋光状態になっている。そのため、反転画像を形成しているＬＣＯＳ３からのＳ偏光光（黒データ）は、偏光制御素子４１によりＰ偏光光に変換され、後段の偏光板４２によりカットされる。一方、正常画像を形成しているＬＣＯＳ４からのＰ偏光光（白データ）は、偏光制御素子４１によりＳ偏光光に変換され、偏光板４２を透過して投射レンズ５によりスクリーン上に投射される。その結果、スクリーン上には、正常画像のみが投影されることになる。
【００１９】
《カラー表示動作の説明》
図４〜６は、カラー表示を行う場合の制御例を示す図である。図４は第１の制御例を示しており、１段目はＬＥＤ１１の制御シーケンスを、２段目はＬＣＯＳ３の制御シーケンスを、３段目はＬＣＯＳ４の制御シーケンスを、４段目は偏光制御素子４１の制御シーケンスをそれぞれ示している。１フレーム（ＲＧＢ３色の正規の通常表示画像を繰り返して表示する周期）は６つのフィールドで構成されており、ＬＣＯＳ３，４および偏光制御素子４１を、（第１の状態）→（第２の状態）→（第１の状態）→…のようにＬＥＤ１１による各色点灯時に第１の状態および第２の状態を交互に繰り返すようにした。第２フレーム以降も、第１フレームと同様の動作を行う。
【００２０】
ＬＥＤ１１については、「Ｒ→Ｒ→Ｇ→Ｇ→Ｂ→Ｂ」の順に各色光が出射されるように発光制御される。ＬＣＯＳ３，４においては、この発光と同期して、各色に対応する画像の通常表示、反転表示を行わせるようにしている。すなわち、第１の状態の第１フィールドでは、ＬＣＯＳ３はＲ画像通常表示を、ＬＣＯＳ４はＲ画像反転表示をそれぞれ行い、偏光制御素子４１は非旋光状態とされる。第２フィールドでは第２の状態とされ、ＬＣＯＳ３はＲ画像反転表示を、ＬＣＯＳ４はＲ画像通常表示をそれぞれ行い、偏光制御素子４１は旋光状態とされる。Ｇ色光に関する第３，４フィールド、Ｂ色光に関する第５，６フィールドに関しても、同様に第１の状態、第２の状態の順に制御される。この場合、スクリーン上に投影されるのは、各色の通常表示画像（各フィールドの太枠で囲んだ部分の通常表示画像）である。
【００２１】
図５は第２の制御例を示したものであり、１フレームはＲ，Ｇ，Ｂ発光に対応して３フィールドで構成されている。第１フレームでは３フィールド全てにおいて第１の状態で表示が行われ、続く第２フィールドでは全てのフィールドにおいて第２の状態で表示が行われている。第３フレーム以降においても、奇数番のフレームは第１フレームと同様に第１の状態とされ、偶数番のフレームは第２フレームと同様に第２の状態とされる。この場合も、各色の通常表示画像（各フィールドの太枠で囲んだ部分の通常表示画像）がスクリーン上に投影される。
【００２２】
図６は第３の制御例を示したものであり、第２の制御例と同様に、１フレームはＲ，Ｇ，Ｂ発光に対応して３フィールドで構成されている。奇数フレームである第１フレームにおいては、第１フィールドは第１の状態とされ、第２フィールドは第２の状態とされ、第３フィールドは第１の状態とされる。偶数フレームである第２フレームにおいては、第１フィールドは第２の状態とされ、第２フィールドは第１の状態とされ、第３フィールドは第２の状態とされる。そのため、全体としては、第１の状態と第２の状態とが交互に生じることになる。この第３の制御例の場合も、各色の通常表示画像（各フィールドの太枠で囲んだ部分の通常表示画像）がスクリーン上に投影される。
【００２３】
従来、強誘電液晶のライトバルブを用いたプロジェクタでは、画像の焼き付きを防止するための反転画像表示のタイミングでは照明がオフされるため、ちらつきが生じるという不都合があった。しかしながら、本実施の形態では、スクリーン上に投影されるのは、図４〜６に示したように各フィールドの枠で囲んだ部分の画像表示であって、ＬＣＯＳ３，４の一方において画像焼き付き防止の反転画像表示を行っていても、他方の画像表示を用いた投影が行われる。そのため、従来のように照明オフのタイミングがなく、ちらつきのない投影画像を得ることができる。
【００２４】
上述した３つの制御例を比較すると、第１の制御例では、１色あたり連続して正規の通常表示、反転表示の２つの状態の切り換えとなる（すなわち、１フィールドが１／３６０秒となる）ため、高速な駆動、表示の切り換え動作が必要となるが、ＬＥＤの点灯動作はより簡単になる。第２および第３の制御例では１フレームが３状態（３フィールド）でよい（すなわち、１フィールドが１／１８０秒となる）ため、ＬＣＯＳ自体に要求される駆動、表示の切り換え速度は低くてよい。逆に、第１の制御例で用いられるＬＣＯＳを使用すれば、より高フレームレート（１２０Ｈｚ）の表示を行うことができる。第３の制御例では、第２の制御例に比べて反転動作が交互に入るため、焼きつき防止という観点ではより好ましい。
【００２５】
上述したように、本発明によるプロジェクタでは、例えば、強誘電液晶素子など、その駆動によって正規の通常表示状態と、その正規の通常表示状態とは表示態様が異なる反転表示状態との表示状態を有するライトバルブで構成される２組のＬＣＯＳ３，４を設け、一方が反転表示の場合には他方を通常表示とし、ＰＢＳから出射される投射光から偏光制御素子４１および偏光板４２を用いて反転表示の偏光光をカットし正規の通常表示の偏光光だけを投射するようにした。その結果、照明を消灯することなく投影を行うことができるので、反転駆動が必要な強誘電液晶素子のＬＣＯＳを用いていても投射光量の低下を避けることができる。さらに、ＰＢＳ２の出射側に偏光制御素子４１および偏光板４２を設けるだけで良いため、複数のＰＢＳに対応させて複数のＬＥＤを設ける従来の装置に比べて、ＬＥＤの個数を低減させて装置全体の大きさを小さくすることができるとともに、コストアップを抑えることができる。
【００２６】
また、ＰＢＳ２で偏光分離を行う場合、完全にＰ偏光光とＳ偏光光とに分離されるわけではなく、Ｐ偏光光およびＳ偏光光に他の偏光成分がノイズ成分として若干混入することが多い。このノイズ成分は、投影像のコントラスト低下を招く。しかし、本実施の形態では、ＰＢＳ２での偏光分離の際にこのようなノイズ成分の混入があっても、最終的に偏光制御素子４１および偏光板４２によってカットされて投射光への影響が除去されるため、コントラストの向上を図ることができる。
【００２７】
一方、前述した特許文献１に記載のプロジェクタでは、複数のＰＢＳに対応させて複数のＬＥＤを設けているので、装置の大型化を避けることができない。また、特許文献１に記載のプロジェクタで小型化を図るために、上記特許文献１の図４，図５に示されるようにＰＢＳの数を仮に少なくしたとしても、異なる偏光光の出射位置のずれが無視できなくなる。これを補正するためには、新たな光学素子が必要となり、装置が大きくなるとともにコスト上昇を招く。さらにまた、上記特許文献１の図６に示されるようにＰＢＳの数を少なくした場合であっても、照明光の照明範囲に比較して大きなＰＢＳが必要となり、装置が大型になる。
【００２８】
なお、上述した実施の形態はあくまでも一例を示したものであり、本発明の特徴を損なわない限り、本発明は上記実施の形態に何ら限定されるものではない。例えば、上述した第１〜第３のカラー表示動作例に限らず種々の動作例が可能である。また、カラー表示に限らず、モノクロ表示のプロジェクタにも適用することができる。さらに、反射型のライトバルブを用いたプロジェクトに限らず、透過型のライトバルブを用いた場合にも同様に適用することができる。透過型の場合、ライトバルブを透過した偏光光はＰＢＳ２とは別に設けられたＰＢＳ（偏光分離手段）を用いて投射光に合成される。
【図面の簡単な説明】
【００２９】
【図１】本発明によるプロジェクタの一実施の形態を示すブロック図である。
【図２】第１の状態を説明する図である。
【図３】第２の状態を説明する図である。
【図４】カラー表示の場合の第１の制御例を示す図である。
【図５】カラー表示の場合の第２の制御例を示す図である。
【図６】カラー表示の場合の第３の制御例を示す図である。
【符号の説明】
【００３０】
１：照明部                            ２：偏光ビームスプリッタ
３，４：ＬＣＯＳ                      ５：投射レンズ
６：コントローラ                      ４１：偏光制御素子
４２：偏光板                          ６１：ＬＥＤ制御回路
６２：偏光制御回路                    ６３ａ，６３ｂ：ＬＣＯＳ制御回路
６４：ＣＰＵ
【図１】
2007072403.tif 000003
【図２】
2007072403.tif 000004
【図３】
2007072403.tif 000005
【図４】
2007072403.tif 000006
【図５】
2007072403.tif 000007
【図６】
2007072403.tif 000008